(57)【要約】      （修正有）【課題】短冊状の４枚の竹片を筒状に組み付けて仕立てた剣道に使用する竹刀の内部の中空部分に、発泡ウレタンなどのような発泡樹脂からなる軽量の緩和材を設けた場合に、緩和材が分離飛散しにくい竹刀を提供する。【解決手段】竹刀１の内部空間に、棒状の緩和材５と、棒状の緩和材の側面を包むように巻いたシート６と、シートの外周を周回して複数個所巻き止めした巻き止めテープ９と、を両面テープ１０を用いて装着する。【選択図】図１
0003203051.tif 000002
【実用新案登録請求の範囲】
【請求項１】
竹刀の内部空間に、棒状の緩和材とその棒状の緩和材の側面を包むように巻いたシ−トとを有する内部装着部材を装着した竹刀。
【請求項２】
竹刀の内部空間に用いられる、棒状の緩和材とその棒状の緩和材の側面を包むように巻いたシ−トとを有する竹刀用内部装着部材。
【請求項３】
前記内部装着部材の外周を周回して複数個所巻き止めした巻き止テ−プを装着した請求項１の竹刀、または請求項２の竹刀用内部装着部材。
【請求項４】
前記内部装着部材の表面に両面テ−プを装着した請求項１もしくは３の竹刀、または請求項２もしくは３の竹刀用内部装着部材。
【請求項５】
前記シ−トは、前記緩和材を５μｍから３０μｍの厚さで、２回から１０回巻いた請求項１、３もしくは４の竹刀、または請求項２、３もしくは４の竹刀用内部装着部材。
【請求項６】
前記巻き止めテ−プは、前記緩和材の長さ方向を間欠的に３か所から９か所を巻き止めした請求項１、３、４もしくは５の竹刀、または請求項２、３、４もしくは５の竹刀用内部装着部材。
【考案の詳細な説明】
【技術分野】
【０００１】  本発明は、竹刀および竹刀用内部装着部材に関する。
【背景技術】
【０００２】  剣道で使用する竹刀は、短冊状の４枚の竹片を筒状に組み付けて仕立てたもので、内部が中空になっている。【０００３】  ところで、特許文献１には、竹刀の内部の中空部分に、発泡ウレタンなどのような発泡樹脂からなる軽量の緩和材を設け、竹刀内部の突起状に節で、芯体押さえることにより、竹刀のささくれや割れ、破損を防ぐ方法が提案されている。
【先行技術文献】
【特許文献】
【０００４】
【特許文献１】特開平９−１０３７１公報
【考案の概要】
【考案が解決しようとする課題】
【０００５】  ところが、竹刀の内部の中空部分に緩和材を設けた場合、使用している間に、緩和材が分離し、飛散しやすくなってしまう。【０００６】  本発明は、上記の課題を解決するために、緩和材が分離飛散しにくい安全な竹刀および竹刀用内部装着部材を提供するものである。
【課題を解決するための手段】
【０００７】  本発明は、上記の課題を解決するために、下記の竹刀および竹刀用内部装着部材を提供するものである。
（１）竹刀の内部空間に、棒状の緩和材とその棒状の緩和材の側面を包むように巻いたシ−トとを有する内部装着部材を装着した竹刀。
（２）竹刀の内部空間に用いられる、棒状の緩和材とその棒状の緩和材の側面を包むように巻いたシ−トとを有する竹刀用内部装着部材。
（３）前記内部装着部材の外周を周回して複数個所巻き止めした巻き止テ−プを装着した（１）の竹刀または（２）の竹刀用内部装着部材。
（４）前記内部装着部材の表面に両面テ−プを装着した（１）もしくは（３）の竹刀または（２）もしくは（３）の竹刀用内部装着部材。
（５）前記シ−トは、前記緩和材を５ｍｍから３０ｍｍの厚さで２回から１０回巻いた（１）、（３）もしくは（４）の竹刀または（２）、（３）もしくは（４）の竹刀用内部装着部材。
（６）前記巻き止めテ−プは、前記緩和材の長さ方向を間欠的に３か所から９か所を巻き止めした（１）、（３）、（４）もしくは（５）の竹刀または（２）、（３）、（４）もしくは（５）の竹刀用内部装着部材。
【考案の効果】
【０００８】  本発明によれば、内部空間に設けた緩和材が、分離飛散しにくい安全な竹刀および竹刀用内部装着部材を提供することができる。
【図面の簡単な説明】
【０００９】
【図１】本発明に係る竹刀の部分断面図を示している。
【図２】本発明に係る緩和材の斜視図を示している。
【図３】本発明に係る内部装着部材の斜視図を示している。
【図４】本発明に係る内部装着部材の表面に巻き止テープを設けた状態の斜視図を示している。
【図５】本発明に係る内部装着部材の表面に両面テ−プを設けた状態の斜視図を示している。
【図６】本発明に係る内部装着部材を竹刀の内部空間に装着した状態の断面斜視図を示している。
【考案を実施するための形態】
【００１０】  本発明の竹刀は、短冊状の４枚の竹片を筒状に組み付けて仕立てたもので、内部が中空となっている。
【００１１】  本発明の緩和材は、竹刀の内部空間に設けたもので、軟質材からできている。断面は３ｍｍ〜７ｍｍ、長さは３０ｃｍ〜４０ｃｍが好ましい。棒状の緩和材を設ける場所は、剣先から中結さき打突部までが好ましい。素材は、澱粉を主成分ポリプロビンと混ぜたもの？、熱可塑性エラストマー、発泡ウレタンなどのような発泡樹脂などが使用できている。
【００１２】  本発明のシ−トは、厚さが５μｍから３０μｍで、緩和材の側面を包むように巻くもので、ポリ塩化ビ二リデン、ポリエチレン、ポリプロピレンなどのプラスチックフイルムまたはそれらの素材の不織布などが使用できている。フラスチックフイルムの場合、通気性がよいように細かな穴が開いていてもよい。巻く回数は、シ−トの厚さにもよるが、２回から１０回緩和材に巻きつける。
【００１３】  本発明の巻き止テ−プは、シ−トの外周を周回してシ−ト巻き止めするもので、プラスチックフイルムの片面に粘着剤または接着剤が塗布された通常の市販品が使用できる。巻き止テ−プの幅は、２ｍｍから１０ｍｍ、厚さは０．０２ｍｍから０．０８ｍｍ程度で、シ−トを複数個所一定間隔で、巻き止めするようにする。
【００１４】  本発明の両面テ−プは、巻き止テ−プまたはシ−トの外周と、竹刀の竹片内面との隙間に設け、その両面を被着させるものである。
両面テ−プの幅は、２ｍｍから５ｍｍ、厚さは０．０５ｍｍから１ｍｍ程度のものが使用できる。被着方法は、竹刀の剣先を片手で持ち、竹刀４面のひとつを上げ、緩和材を剣先から中結に向けて挿入後、上げた竹片を下し、竹刀４面側面の空き確認後、両面テープを順次剥がして装着する。
【００１５】以下、本発明の実施の形態を図面に基づいて説明する。
【００１６】  図１は、本発明に係る竹刀の部分断面図を示している。特に竹刀の先の要部部分を示している。
竹刀は、短冊状の４枚の竹片１を筒状に組み付けて仕立てたもので、内部が中空となっている。その竹刀の先端部分の端面には、つばのある先ゴム２が差し込まれていて、先ゴム２を覆うように、先皮３が装着されている。
内部装着部材４は、先ゴム２の内側の、竹片１の第一節７をおおよそ真ん中として中結皮８あたりに、竹刀の先端部分の内部空間を埋めるように設けている。内部装着部材４の基本構成は、棒状の緩和材５とその棒状の緩和材５の側面を包むように巻いたシ−ト６で、シ−ト６の外周を、複数個所一定間隔で、巻き止テ−プ９を周回させている。また、内部装着部材４は、両面テープ１０を介して竹刀の竹片１内面と接触している。
【００１７】  図２から図５は、本発明に係る竹刀用内部装着部材の組み立て方法を示している。図２は、緩和材の、図３は、緩和材にシートを巻いた状態の、図４は、シート表面に巻き止テープを巻いた状態の、図５は、シート表面に両面テープを設けた状態の斜視図を示している。
【００１８】  まず、図２に示すように、棒状の緩和材５を用意する。緩和材５の断面は、竹刀の先端部分の内部空間の断面形状に合わせるのが好ましい。
【００１９】  次に、棒状の緩和材５の長さかそれより長い長さのシ−ト６で、軸方向に数回巻く。長いほうが緩和材５の端部からの分離飛散を防止できる。図３は、巻き終わった状態を示している。
【００２０】  次に、図４に示すように、シート６表面に巻き止テープ９を巻く。自着性を含め被着性のあるシート６の場合には、この工程を省いてもよい。
【００２１】  次に、シート６表面に両面テープ１０を設ける。なお、図５に示すように、シート６の巻き終わり部分をまたぐように設けると、巻き止テープ９を省くことができる。
【００２２】  図６は、内部装着部材４を竹刀の内部空間に装着した状態の断面斜視図を示している。両面テープ１０は、竹刀の竹片１の位置に合うように、４か所設けると、両面テープ１０が竹刀の竹片１間の隙間からにじみ出るのを防止することができ好ましい。
【符号の説明】
【００２３】  １…竹片、２…先ゴム、３…先皮、４…内部装着部材、５…緩和材、６…シート、７…第一節、８…中結皮、９…巻き止テ−プ、１０…両面テ‐プ
【図１】
0003203051.tif 000003
【図２】
0003203051.tif 000004
【図３】
0003203051.tif 000005
【図４】
0003203051.tif 000006
【図５】
0003203051.tif 000007
【図６】
0003203051.tif 000008